(57)【要約】【課題】部品点数を増加することなく、電池の電極と接触端子との接触状態を長期間維持することが可能で、かつ、短いストロークで十分な弾力性を得ることが可能な電池用接触端子を提供する。【解決手段】電池用接触端子１および２は、電池接触部１ａおよび２ａと取付部１ｂおよび２ｂと基板接続部１ｃおよび２ｃとが一体的に形成されているとともに、導電性を有する板状のバネ部材からなる。また、電池接触部１ａおよび２ａは、電池用接触端子１および２の一方端に設けられ、板状のバネ部材を巻回することによりタケノコバネ状に形成されている。取付部１ｂおよび２ｂは、電池収納部に対して固定される穴部１ｄおよび２ｄを有するとともに平板状に形成されている。基板接続部１ｃおよび２ｃは、電池用接触端子１および２の他方端に設けられ、取付部１ｂおよび２ｂよりも小さい幅を有するとともに、平板状に形成されている。【選択図】図１
2006245968.tif 000002
【特許請求の範囲】
【請求項１】
電池の電極に対して接触可能な電池接触部と、電池収納部に対して固定される取付部と、配線基板に接続するための基板接続部とを備えた電池用接触端子において、
前記電池接触部と前記取付部と前記基板接続部とは一体的に形成されているとともに、導電性を有する板状のバネ部材からなり、
前記電池接触部は、前記電池用接触端子の一方端に設けられ、前記板状のバネ部材を巻回することによりタケノコバネ状に形成されており、
前記取付部は、前記電池収納部に対して固定される穴部を有するとともに平板状に形成されており、
前記基板接続部は、前記電池用接触端子の他方端に設けられ、平板状に形成されているとともに、前記取付部よりも小さい幅を有する、電池用接触端子。
【請求項２】
導電性を有する板状のバネ部材からなり、前記板状のバネ部材を巻回することによりタケノコバネ状に形成され、電池の電極に対して接触可能な電池接触部と、
前記電池接触部と一体的に形成され、配線基板に接続する基板接続部とを備えた、電池用接触端子。
【請求項３】
前記電池接触部および前記基板接続部と一体的に設けられ、電池収納部に対して固定される穴部を有する取付部をさらに備える、請求項２に記載の電池用接触端子。
【請求項４】
前記取付部および前記基板接続部は、平板状に形成されているとともに、前記基板接続部は、前記取付部よりも小さい幅を有する、請求項３に記載の電池用接触端子。
【請求項５】
請求項２〜４のいずれか１項に記載の電池用接触端子が固定される、電池収納部材。
【発明の詳細な説明】
【技術分野】
【０００１】
本発明は、電池用接触端子に関し、特に、電子スチルカメラの電池収納部などに固定される電池用接触端子に関する。
【背景技術】
【０００２】
従来、電子スチルカメラなどの電子機器などには、電源として電池が使用されている場合が多い。このような電子機器などには、電池を収納するための電池収納部が設けられており、その電池収納部には、電池の電極と接触する電池用接触端子が設けられている。この電池用接触端子の構造としては、従来より、種々の構造が提案されている（たとえば、特許文献１および２参照）。
【０００３】
上記特許文献１には、コイル状電極板をプリント基板（配線基板）に仮固定するための構造が記載されている。このコイル状電極板の保持装置は、コイル状電極板の一端に電池の電極と接触するコイル状に形成された弾性力を有する接触部と、その他端に挟持部とを備えている。そして、その挟持部の下側には突起部を有し、その突起部をプリント基板（配線基板）の孔部に係合させて、挟持部と突起部とでプリント基板を挟持することにより電極板の仮固定を行う。このコイル状電極板は、線材で一体に形成されている。
【０００４】
上記特許文献２には、電池の電極に対して接触可能な導電性を有する接触片と、この接触片を屈曲自在に保持するとともに所定の電池装着部（電池収納部）に対して固定される基部（取付部）と、この接触片を電池の電極方向に付勢するコイル状スプリング（コイル状の圧縮スプリングやねじりコイルスプリング）とを備えた電池用接触端子の構造が記載されている。この電池用接触端子は、別部材であるコイル状スプリングを備えることにより、電池の出し入れなどにより接触片の弾力性が低下した場合でも、コイル状スプリングの付勢力により接触片の弾力性の低下を補うことができる。そのため、電池用接触端子と電池の電極との接触状態を長期間維持できる。
【０００５】
また、従来では、導電性を有する板状の部材からなり、この板状の部材を折り曲げた構造の電池用接触端子が用いられていた。図１１および図１２は、従来の電池用接触端子の斜視図である。図１３は、従来の電池用接触端子を装着した電池収納部材の斜視図である。図１４は、従来の電池用接触端子を固定した電池収納部材を配線基板に取り付けた状態を示した平面図である。図１５は、従来の電池用接触端子を装着した電池収納部材を底面側から見た斜視図である。図１６は、従来の電池収納部材の斜視図である。図１７は、従来の電池収納部材を配線基板に取り付けた状態を示した平面図である。
【０００６】
従来の電池用接触端子１０１および１０２は、図１１および図１２に示すように、板状の部材を折り曲げた形状を有する。また、電池用接触端子１０１および１０２は、電池１６０（図１３参照）の電極に対して接触可能な接触部１０１ａおよび１０２ａと、電池収納部材１０３（図１３参照）に対して固定される取付部１０１ｂおよび１０２ｂと、配線基板１０５に接続するための基板接続部１０１ｃおよび１０２ｃとを備えている。また、取付部１０１ｂおよび１０２ｂは、電池用接触端子１０１および１０２をネジなどで電池収納部材１０３に固定するための穴部１０１ｄおよび１０２ｄが設けられている。さらに、電池用接触端子１０１および１０２は、弾力性を持たせるための曲げ部１０１ｅおよび１０２ｅが設けられている。
【０００７】
この従来の電池用接触端子１０１および１０２は、図１３〜図１５に示すように、電池収納部材１０３に固定される。電池収納部材１０３と電池用接触端子１０１および１０２
との間には、図１３に示すように、弾力性を有する発泡材からなる緩衝材１０４が設けられている。このように緩衝材１０４を用いるのは、以下の理由による。すなわち、従来の電池用接触端子１０１および１０２は、板状のバネ部材を曲げ加工して曲げ部１０１ｅおよび１０２ｅに弾力性を持たせた板状バネである。このような板状バネは、電池１６０の収納や電池１６０の出し入れなどにより加わる変位を曲げ部１０１ｅおよび１０２ｅのみが変形することにより受け止めるため、電池１６０の出し入れなどによって曲げ部１０１ｅおよび１０２ｅに応力が集中する。このため、曲げ部１０１ｅおよび１０２ｅの弾性力が低下しやすい。弾性力が低下すると、電池用接触端子１０１および１０２は、電池１６０の電極部との接触を維持することが困難となり、接触不良の原因となる。そのため、従来の板状のバネ部材（板バネ）を折り曲げ加工して曲げ部１０１ｅおよび１０２ｅに弾力性を持たせた電池用接触端子１０１および１０２では、曲げ部１０１ｅおよび１０２ｅの弾性力の低下を抑制するために、別部材として弾力性を有する発泡材からなる緩衝材１０４を用いていた。
【０００８】
また、電池収納部材１０３は、図１４に示すように、電子スチルカメラの配線基板１０５に取り付けられている。配線基板１０５は、図１４に示すように、メモリカード基板１０５ａと、液晶基板１０５ｂと、ストロボ基板１０５ｃとから構成されている。また、配線基板１０５には、スピーカー部１０６と、ストロボ用のコンデンサー１０７とが取り付けられている。また、電池用接触端子１０１および１０２は、図１５に示すように、電池収納部材１０３の底面側に設けられた固定部１０３ａの固定穴１０３ｂに、電池用接触端子１０１および１０２の取付部１０１ｂおよび１０２ｂに設けられた穴部１０１ｄおよび１０２ｄを位置合わせした状態で、ネジにより取り付けられている。また、電池用接触端子１０１および１０２を固定する電池収納部材１０３には、図１６および図１７に示すように、開口部１０３ｃが設けられている。
【特許文献１】実開平０６−０６８２９７号公報
【特許文献２】特開２００３−３１１９４号公報
【発明の開示】
【発明が解決しようとする課題】
【０００９】
しかしながら、図１１〜図１５に示した従来の電池用接触端子１０１および１０２は、板状バネの弾性力の低下を抑制するために、別部材である緩衝材１０４を用いていたため、部品点数が増加するという問題点があった。
【００１０】
また、上記特許文献１では、線材からなるコイル状電極板を電池の電極に接触する部分として用しているので、十分な弾性力を得るためには、コイル状電極のストロークを大きくする必要があるという問題点がある。
【００１１】
上記特許文献２に開示された電池用接触端子は、電池の出し入れなどによって生じる弾性力の低下を、圧縮スプリングやねじりコイルスプリングの付勢力により補うため、別部材としてのコイル状スプリング（圧縮スプリングやねじりコイルスプリング）を取り付けることが必要となる。このため、電池用接触端子の部品点数が増加するという問題点がある。
【００１２】
この発明は、上記のような課題を解決するためになされたものであり、この発明の１つの目的は、部品点数を増加することなく、電池の電極と接触端子との接触状態を長期間維持することが可能で、かつ、短いストロークで十分な弾性力を得ることが可能な電池用接触端子を提供することである。
【課題を解決するための手段】
【００１３】
上記目的を達成するために、この発明の第１の局面における電池用接触端子は、電池の電極に対して接触可能な電池接触部と、電池収納部に対して固定される取付部と、配線基板に接続するための基板接続部とを備えた電池用接触端子において、電池接触部と取付部と基板接続部とは一体的に形成されているとともに、導電性を有する板状のバネ部材からなり、電池接触部は、電池用接触端子の一方端に設けられ、板状のバネ部材を巻回することによりタケノコバネ状に形成されており、取付部は、電池収納部に対して固定される穴部を有するとともに平板状に形成されており、基板接続部は、電池用接触端子の他方端に設けられ、平板状に形成されているとともに、取付部よりも小さい幅を有する。
【００１４】
この第１の局面による電池用接触端子では、導電性を有する板状のバネ部材を巻回することによりタケノコバネ状に形成された電池接触部を設けることによって、そのタケノコバネ状の電池接触部により、線材からなるコイルバネに比べてより短いストロークで大きな弾性力（バネ荷重）を得ることができる。すなわち、コイルバネを構成する線材の直径（幅）とタケノコバネを構成する板材の厚み（幅）とが同じ場合に、バネの圧縮方向の長さが板材からなるタケノコバネの方が長くなるので、線材からなるコイルバネに比べてより短いストロークで大きな弾性力（バネ荷重）を得ることができる。これにより、電池接触部の寸法を小さくすることができるので、小型化を図ることができる。また、タケノコバネ状の電池接触部は、電池の出し入れ時に加わる変位をタケノコバネ状の各部分が少しずつ変形することによって受け止めるので、板状のバネ部材を曲げ加工した曲げ部に電池の出し入れ時の応力が集中的に加わる板状の電池接触部を有する電池用接触端子を用いる場合と異なり、弾力性が低下するのを有効に抑制することができる。このため、長期間にわたり電池の電極部と電池接触部との接触を維持することができるので、接触不良の発生を抑制することができる。これにより、電池接触部の弾性力の低下に起因する接触不良を抑制するために、弾力性を有する発泡材からなる緩衝材を別途設ける必要がないので、部品点数が増加するのを抑制することができる。また、電池収納部に対して固定される穴部を有する取付部を設けることによって、その穴部を用いて取付部と電池収納部とをネジ止めすることにより電池用接触端子を電池収納部に容易に固定することができる。また、配線基板に接続する平板状で、かつ、取付部よりも小さい幅を有する基板接続部を設けることにより、配線基板のスリット部に平板状の幅の小さい基板接続部を嵌め込むことによって、配線基板と基板接続部との接続部のスペースを大きくすることなく、配線基板と基板接続部との接続を容易に行うことができる。また、電池接触部と、取付部と、基板接続部とを一体的に形成することによって、電池用接触端子を１つの部品で形成することができるので、これによっても、部品点数を削減することができる。
【００１５】
この発明の第２の局面における電池用接触端子は、導電性を有する板状のバネ部材からなり、板状のバネ部材を巻回することによりタケノコバネ状に形成され、電池の電極に対して接触可能な電池接触部と、電池接触部と一体的に形成され、配線基板に接続する基板接続部とを備える。
【００１６】
この第２の局面による電池用接触端子では、導電性を有する板状のバネ部材を巻回することによりタケノコバネ状に形成された電池接触部を設けることによって、そのタケノコバネ状の電池接触部により、線材からなるコイルバネに比べてより短いストロークで大きな弾性力（バネ荷重）を得ることができる。すなわち、コイルバネを構成する線材の直径（幅）とタケノコバネを構成する板材の厚み（幅）とが同じ場合に、バネの圧縮方向の長さが板材からなるタケノコバネの方が長くなるので、線材からなるコイルバネに比べてより短いストロークで大きな弾性力（バネ荷重）を得ることができる。これにより、電池接触部の寸法を小さくすることができるので、小型化を図ることができる。また、タケノコバネ状の電池接触部は、電池の出し入れ時に加わる変位をタケノコバネ状の各部分が少しずつ変形することによって受け止めるので、板状のバネ部材を曲げ加工した曲げ部に電池の出し入れ時の応力が集中的に加わる板状の電池接触部を有する電池用接触端子を用いる
場合と異なり、弾力性が低下するのを有効に抑制することができる。このため、長期間にわたり電池の電極部と電池接触部との接触を維持することができるので、接触不良の発生を抑制することができる。これにより、電池接触部の弾性力の低下に起因する接触不良を抑制するために、弾力性を有する発泡材からなる緩衝材を別途設ける必要がないので、部品点数が増加するのを抑制することができる。また、配線基板に接続する基板接続部を設けることにより、配線基板のスリット部に基板接続部を嵌め込むことによって、配線基板と基板接続部との接続を容易に行うことができる。また、電池接触部と、基板接続部とを一体的に形成することによって、電池用接触端子を１つの部品で形成することができるので、これによっても、部品点数を削減することができる。
【００１７】
上記第２の局面による電池用接触端子において、好ましくは、電池接触部および基板接続部と一体的に設けられ、電池収納部に対して固定される穴部を有する取付部をさらに備える。このように構成すれば、電池用接触端子を１つの部品で形成することができるので、部品点数を削減することができる。また、取付部の穴部を用いて取付部と電池収納部とをネジ止めすることにより電池用接触端子を電池収納部に容易に固定することができる。
【００１８】
上記第２の局面による電池用接触端子において、好ましくは、取付部および基板接続部は、平板状に形成されているとともに、基板接続部は、取付部よりも小さい幅を有する。このように構成すれば、配線基板のスリット部に平板状の幅の小さい基板接続部を嵌め込むことによって、配線基板と基板接続部との接続部のスペースを大きくすることなく、配線基板と基板接続部との接続を容易に行うことができる。
【００１９】
この発明の第３の局面による電池収納部材は、上記第２の局面による電池用接触端子が固定される。このように構成すれば、部品点数を増加することなく、電池の電極と接触端子との接触状態を長期間維持することが可能で、かつ、短いストロークで十分な弾性力を得ることが可能な電池用接触端子を含む電池収納部材を得ることができる。
【発明を実施するための最良の形態】
【００２０】
以下、本発明の実施形態を図面に基づいて説明する。
【００２１】
図１は、本発明の一実施形態による電池用接触端子を含む電子スチルカメラ用電池収納部材および配線基板の分解斜視図である。図２は、図１に示した一実施形態による電池用接触端子を含む電子スチルカメラ用電池収納部材および配線基板の正面側斜視図である。図３は、図１に示した一実施形態による電池用接触端子を含む電子スチルカメラ用電池収納部材および配線基板の背面側斜視図である。図４および図５は、図１に示した一実施形態による電池用接触端子の斜視図である。図６は、一実施形態による電池用接触端子を装着した電池収納部材の斜視図である。図７は、図１に示した一実施形態による電池用接触端子を装着した電池収納部材を配線基板に取り付けた状態を示した平面図である。図８は、一実施形態による電池用接触端子を装着した電池収納部材を底面側から見た斜視図である。図９は、一実施形態による電池収納部材の斜視図であり、図１０は、一実施形態による電池用接触端子を配線基板に取り付けた状態を示した平面図である。図１〜図１０を参照して、本発明の一実施形態による電池用接触端子１および２について説明する。
【００２２】
本実施形態における電池用接触端子１および２は、図１〜図３に示すように、電池収納部材３に固定されている。その電池収納部材３は、電子スチルカメラ５０の配線基板１０に取り付けられる。配線基板１０は、メモリカード基板４と、液晶基板５と、ストロボ基板６とから構成されている。また、配線基板１０にはスピーカー部７とストロボ用のコンデンサー８とが取り付けられている。電池収納部材３および配線基板１０は、電子スチルカメラ５０の内部に配置されている。また、液晶基板５には、電池用接触端子１および２と接続するための２つのスリット部５ａが設けられている。
【００２３】
ここで、本実施形態では、電池用接触端子１および２は、図４および図５に示すように、導電性を有する板状のバネ部材からなる。電池用接触端子１および２の一方端には、板状のバネ部材を巻回することによりタケノコバネ状に形成された電池接触部１ａおよび２ａが設けられている。また、電池用接触端子１および２の中間部には、電池収納部材３に対して固定される平板状の取付部１ｂおよび２ｂが設けられている。電池用接触端子１および２の他方端には、平板状に形成されるとともに、取付部１ｂおよび２ｂよりも小さい幅を有する基板接続部１ｃおよび２ｃが設けられている。取付部１ｂおよび２ｂは、電池収納部材３に固定するための穴部１ｄおよび２ｄが設けられている。また、電池用接触端子１および２は、図６および図７に示すように、電池収納部材３の内面の長手方向の一方端部に、タケノコバネ状に形成された電池接触部１ａおよび２ａの付勢方向が電池６０の電極を付勢する方向に固定されている。電池用接触端子１および２は、図８に示すように、電池収納部材３の底面側に設けられた固定部３ａの固定穴３ｂに、電池用接触端子１および２の取付部１ｂおよび２ｂに設けられた穴部１ｄおよび２ｄを位置合わせした状態でネジにより取り付けられている。また、電池用接触端子１および２を固定する電池収納部材３には、図９および図１０に示すように、スリット部３ｃが設けられている。このスリット部３ｃに、電池用接触端子１および２を嵌め込むことにより、電池収納部材３の固定部３ａの固定穴３ｂに対する、電池用接触端子１および２の穴部１ｄおよび２ｄの位置合わせが行われる。また、図６および図７に示すように、電池用接触端子１および２は、電池接触部１ａおよび２ａの付勢力が電池６０の電極に対して付勢するように、電池収納部材３に固定される。
【００２４】
電池用接触端子１および２は、図１および図３に示すように、電池用接触端子１および２に設けられた基板接続部１ｃおよび２ｃを、液晶基板５に設けられたスリット部５ａに嵌め込むことによって、電子スチルカメラ５０の配線基板１０に接続される。
【００２５】
また、電池用接触端子１および２の一方端に設けられたタケノコバネ状の電池接触部１ａおよび２ａは、図４および図５に示すように、線材をコイル状に形成したコイルバネからなる電池接触部と比較すると、タケノコバネを構成する板材の厚み（幅）とコイルバネを構成する線材の直径（幅）とが同じ場合には、バネの圧縮方向の長さが板材からなるタケノコバネの方が長くなる。このため、コイルバネに比べて、より大きな圧縮荷重が得られるので、短いストロークで大きな弾性力（バネ荷重）が得られる。また、タケノコバネ状の電池接触部１ａおよび２ａは、板状のバネ部材を曲げ加工して弾力性を持たせた板状バネからなる従来の電池接触部１０１ａおよび１０２ａ（図１１および図１２参照）と比較すると、電池６０の出し入れ時に加わる変位をタケノコバネ状の各部分が少しずつ変形することによって受け止めるので、板状のバネ部材を曲げ加工した曲げ部１０１ｅおよび１０２ｅに電池１６０の出し入れ時の応力が集中的に加わる従来の電池用接触端子１０１および１０２を用いる場合と異なり、弾性力が低下するのを有効に抑制することができる。
【００２６】
本実施形態では、上記のように、電池用接触端子１および２の一方端に設けられた電池接触部１ａおよび２ａは、短いストロークで大きな弾力性を得ることができるため、電池接触部１ａおよび２ａの寸法を小さくすることができる。その結果、小型化を図ることができる。
【００２７】
また、本実施形態では、上記のように、電池用接触端子１および２の電池接触部１ａおよび２ａは、電池６０の出し入れなどによって生じる弾性力の低下を抑制することができるので、長期間にわたり電池６０の電極部と電池接触部１ａおよび２ａとの接触を維持することができる。これにより、接触不良の発生を抑制することができる。このため、電池接触部１ａおよび２ａの弾力性の低下に起因する接触不良を抑制するために、弾力性を有
する発泡材からなる緩衝材１０４を別途設ける必要がないので、部品点数が増加するのを抑制することができる。また、本実施形態では、基板接続部１ｃおよび２ｃとを一体的に形成することによって、電池用接触端子１および２を１つの部品で形成することができるため、これによっても、部品点数が増加するのを抑制することができる。
【００２８】
また、本実施形態では、電池用接触端子１および２を、電池収納部材３に設けられたスリット部３ｃに嵌め込むことにより容易に位置合わせを行うことができる。
【００２９】
また、本実施形態では、液晶基板５のスリット部５ａに電池用接触端子１および２に設けられた平板状の幅の小さい基板接続部１ｃおよび２ｃを嵌め込むことによって、液晶基板５と基板接続部１ｃおよび２ｃとの接続部のスペースを大きくすることなく、液晶基板５と基板接続部１ｃおよび２ｃとの接続を容易に行うことができる。
【００３０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３１】
たとえば、上記実施形態では、電池用接触端子が装着される電池収納部を含む機器の一例として電子スチルカメラを示したが、本発明はこれに限らず、電池を電源とする機器であれば、電子スチルカメラ以外の機器にも適用可能である。
【００３２】
また、上記実施形態では、電池用接触端子が電池収納部材に固定されている例を示したが、本発明はこれに限らず、電池収納部材を設けずに機器の筐体の内面により電池収納部を構成するとともに、その電池収納部に電池用接触端子を固定するようにしてもよい。
【００３３】
また、上記実施形態では、電池用接触端子を電池収納部材に固定するために、電池用接触端子の取付部に穴部を設けた例を示したが、本発明はこれに限らず、取付部に穴部が設けられていない構成にしてもよい。
【００３４】
また、上記実施形態では、基板接続部が、取付部よりも小さい幅を有している例を示したが、本発明はこれに限らず、基板接続部が、取付部の幅と同じ幅を有していてもよいし、取付部の幅よりも大きい幅を有していてもよい。
【図面の簡単な説明】
【００３５】
【図１】本発明の一実施形態による電池用接触端子を含む電子スチルカメラ用電池収納部材および配線基板の分解斜視図である。
【図２】図１に示した一実施形態による電池用接触端子を含む電子スチルカメラ用電池収納部材および配線基板の正面側斜視図である。
【図３】図１に示した一実施形態による電池用接触端子を含む電子スチルカメラ用電池収納部材および配線基板の背面側斜視図である。
【図４】図１に示した一実施形態による電池用接触端子の斜視図である。
【図５】図１に示した一実施形態による電池用接触端子の斜視図である。
【図６】一実施形態による電池用接触端子を装着した電池収納部材の斜視図である。
【図７】図１に示した一実施形態による電池用接触端子を装着した電池収納部材を配線基板に取り付けた状態を示した平面図である。
【図８】一実施形態による電池用接触端子を装着した電池収納部材を底面側から見た斜視図である。
【図９】一実施形態による電池収納部材の斜視図である。
【図１０】一実施形態による電池収納部材を配線基板に取り付けた状態を示した平面図である。
【図１１】従来の電池用接触端子の斜視図である。
【図１２】従来の電池用接触端子の斜視図である。
【図１３】従来の電池用接触端子を装着した電池収納部材の斜視図である。
【図１４】従来の電池用接触端子を装着した電池収納部材を配線基板に取り付けた状態を示した平面図である。
【図１５】従来の電池用接触端子を装着した電池収納部材を底面側から見た斜視図である。
【図１６】従来の電池収納部材の斜視図である。
【図１７】従来の電池収納部材を配線基板に取り付けた状態を示した平面図である。
【符号の説明】
【００３６】
１、２        電池用接触端子
１ａ、２ａ    電池接触部
１ｂ、２ｂ    取付部
１ｃ、２ｃ    基板接続部
１ｄ、２ｄ    穴部
３            電池収納部材
３ａ          固定部
３ｂ          固定穴
３ｃ          スリット部
４            メモリカード基板
５            液晶基板
５ａ          スリット部
６            ストロボ基板
７            スピーカー部
８            コンデンサー
１０          配線基板  
５０          電子スチルカメラ
６０          電池 
【図１】
2006245968.tif 000003
【図２】
2006245968.tif 000004
【図３】
2006245968.tif 000005
【図４】
2006245968.tif 000006
【図５】
2006245968.tif 000007
【図６】
2006245968.tif 000008
【図７】
2006245968.tif 000009
【図８】
2006245968.tif 000010
【図９】
2006245968.tif 000011
【図１０】
2006245968.tif 000012
【図１１】
2006245968.tif 000013
【図１２】
2006245968.tif 000014
【図１３】
2006245968.tif 000015
【図１４】
2006245968.tif 000016
【図１５】
2006245968.tif 000017
【図１６】
2006245968.tif 000018
【図１７】
2006245968.tif 000019